(57)【要約】【課題】  浄水場での水処理により発生する上水汚泥を含む各種の汚泥を、既存の設備を利用して容易に加熱処理し、減容化を可能とした汚泥処理方法及び汚泥処理装置を提供すること。【解決手段】  汚泥をポンプ４により次段の処理装置９に移送する配管３に加熱装置５や圧力保持装置８を設けて配管３内の温度及び圧力を管理して汚泥を改質するので、既設の配管を利用することもでき、熱交換器など大掛かりな設備を新たに用意する必要はなく設備コストを低減化できる。また、上水汚泥を含む各種汚泥に適用可能で、適用範囲が拡大する。【選択図】図１
2005288310.tif 000002
【特許請求の範囲】
【請求項１】
汚泥をポンプにより配管を通して次段の処理設備に移送するに当り、
前記配管の途中において配管内の汚泥を、少なくともその沈降性能を向上させる改質に必要な所定温度に加熱するとともに、この加熱部分の配管内の圧力を少なくとも前記所定温度までの温度上昇を可能にする圧力に保持し、
この後、配管終端の次段の処理設備までの間に冷却し、かつ大気圧とする
ことを特徴とする汚泥処理方法。
【請求項２】
汚泥は浄水場の水処理によって発生する上水汚泥であり、この上水汚泥を配管内にて７０℃以上に加熱し、この加熱部分における配管内を０ＭＰａ以上１ＭＰａ未満とすることを特徴とする請求項１に記載の汚泥処理方法。
【請求項３】
汚泥をポンプにより次段の処理設備に移送する配管と、
この配管の途中に設けられ、配管内の汚泥を、少なくともその沈降性能を向上させる改質に必要な所定温度に加熱する加熱装置と、
この加熱装置により加熱される配管内を、少なくとも前記所定温度までの温度上昇を可能にする圧力に保持する圧力保持装置とを備え、
この圧力保持装置より下流の配管部分にて前記汚泥を冷却し、配管終端の次段の処理設備において大気圧とするように構成した汚泥処理装置。
【請求項４】
汚泥をポンプにより次段の処理設備に移送する配管と、
この配管の途中に設けられ、配管内の汚泥を、少なくともその沈降性能を向上させる改質に必要な所定温度に加熱する加熱装置と、
この加熱装置により加熱される配管内を、少なくとも前記所定温度までの温度上昇を可能とする圧力に保持する圧力保持装置と、
この圧力保持装置より下流の配管部分の途中に介在して設けられた、大気に開放したバッファタンクと、
を備えたことを特徴とする汚泥処理装置。
【請求項５】
バッファタンク上流側における汚泥の移送流量とバッファタンク下流側における汚泥の移送量とをほぼ同じに設定したことを特徴とする請求項４に記載の汚泥処理装置。
【請求項６】
汚泥を移送するポンプの吐出圧により配管内を昇圧することを特徴とする請求項３又は請求項４に記載の汚泥処理装置。
【請求項７】
圧力保持装置として、設置点の上流側と下流側とに差圧を生じさせる流体抵抗装置を用いたことを特徴とする請求項３又は請求項４に記載の汚泥処理装置。
【請求項８】
圧力保持装置として、目標とする差圧より小さな差圧に設定した流体抵抗装置を複数個直列に配置して目標とする差圧を得るように構成したことを特徴とする請求項７に記載の汚泥処理装置。
【請求項９】
圧力保持装置として、設置点上流側の圧力上昇により開動作して下流側との間を連通させる栓と、この栓を閉塞方向に付勢するばねとを備えた保圧弁を用い、前記ばねによる閉鎖方向の付勢力を可変に構成して、前記栓が開放する圧力を調整可能としたことを特徴とする請求項３又は請求項４に記載の汚泥処理装置。
【請求項１０】
圧力保持装置として、目標とする保持圧力に相当する水頭圧を生じさせる配管構成を用いたことを特徴とする請求項３又は請求項４に記載の汚泥処理装置。
【発明の詳細な説明】
【技術分野】
【０００１】
本発明は、浄水場での水処理等で発生する汚泥を熱処理して減容する汚泥処理方法及び汚泥処理装置に関する。
【背景技術】
【０００２】
各種の水処理などに伴って生じる大量の汚泥を処理する場合、汚泥を加熱処理することが従来から行われている。例えば、木質系廃棄物や有機系産業廃棄物に酸化剤を加え、水性媒体とともに密閉容器内に充填し、１００℃の反応温度の条件に保持して、これら廃棄物の可溶化及びガス化処理するものがある（例えば、特許文献１参照）。また、下水汚泥を１３０℃以上で加熱処理して、水分と分離しやすくして脱水する方法もある（例えば、特許文献２参照）。
【０００３】
このうち前者は、汚泥を酸化剤とともに容器に密封して行うバッチ形式であり、酸化剤が必要になるとともに、連続処理を行うことができず、木質系廃棄物や有機系産業廃棄物など、限られた汚泥が処理対象となる。また後者は、下水汚泥が処理対象であり、１３０℃以上の高温加熱が必要であり、熱交換器などの特別の加熱設備を要する。
【特許文献１】特開２０００−８４５２０号公報
【特許文献２】特開平１０−３３７５９６号公報
【発明の開示】
【発明が解決しようとする課題】
【０００４】
このように、汚泥を加熱処理することは従来から行われているが、そのために酸化剤を必要としたり、バッチ処理であり連続処理について考えられていなかったり、さらには新たに熱交換器を設けなければならず、設備コストが上昇するなどの問題があった。
【０００５】
本発明の目的は、浄水場での水処理により発生する上水汚泥を含む各種の汚泥を、既存の設備を利用して容易に加熱処理し、減容化を可能とした汚泥処理方法及び汚泥処理装置を提供することにある。
【課題を解決するための手段】
【０００６】
本発明の汚泥処理方法は、汚泥をポンプにより配管を通して次段の処理設備に移送するに当り、前記配管の途中において配管内の汚泥を、少なくともその沈降性能を向上させる改質に必要な所定温度に加熱するとともに、この加熱部分の配管内の圧力を少なくとも前記所定温度までの温度上昇を可能とする圧力に保持し、この後、配管終端の次段の処理設備までの間に冷却し、かつ大気圧とすることを特徴とする。
【０００７】
また、本発明方法では、汚泥は浄水場の水処理によって発生する上水汚泥に適用でき、この上水汚泥の場合は、この汚泥を配管内にて７０℃以上に加熱し、この加熱部分における配管内の圧力を０ＭＰａ以上１ＭＰａ未満とする。
【０００８】
本発明の汚泥処理装置は、汚泥をポンプにより次段の処理設備に移送する配管と、この配管の途中に設けられ、配管内の汚泥を、少なくともその沈降性能を向上させる改質に必要な所定温度に加熱する加熱装置と、この加熱装置により加熱される配管内を、少なくとも前記所定温度までの温度上昇を可能とする圧力に保持する圧力保持装置とを備え、この圧力保持装置より下流の配管部分にて前記汚泥を冷却し、かつ配管終端の次段の処理設備において大気圧となるように構成した。
【０００９】
また、本発明の汚泥処理装置は、汚泥をポンプにより次段の処理設備に移送する配管と、この配管の途中に設けられ、配管内の汚泥を、少なくともその沈降性能を向上させる改質に必要な所定温度に加熱する加熱装置と、この加熱装置により加熱される配管内を、少なくとも前記所定温度までの温度上昇を可能とする圧力に保持する圧力保持装置と、この圧力保持装置より下流の配管部分の途中に介在して設けられた、大気に開放したバッファタンクとを備えた構成でもよい。
【００１０】
また、本発明の汚泥処理装置では、バッファタンク上流側における汚泥の移送流量とバッファタンク下流側における汚泥の移送量とをほぼ同じに設定するとよい。
【００１１】
また、本発明の汚泥処理装置では、汚泥を移送するポンプの吐出圧により配管内を昇圧するとよい。
【００１２】
また、本発明の汚泥処理装置では、圧力保持装置として、設置点の上流側と下流側とに差圧が生じさせる流体抵抗装置を用いる。
【００１３】
また、本発明の汚泥処理装置では、圧力保持装置として、目標とする差圧より小さな差圧に設定した流体抵抗装置を複数個直列に配置して目標とする差圧を得るように構成してもよい。
【００１４】
また、本発明の汚泥処理装置では、圧力保持装置として、設置点上流側の圧力上昇により開動作して下流側との間を連通させる栓と、この栓を閉塞方向に付勢するばねとを備えた保圧弁を用い、前記ばねによる閉鎖方向の付勢力を可変に構成して、前記栓が開放する圧力を調整可能としてもよい。
【００１５】
さらに、本発明の汚泥処理装置では、圧力保持装置として、目標とする保持圧力に相当する水頭圧を生じさせる配管構成を用いてもよい。
【発明の効果】
【００１６】
本発明によれば、汚泥をポンプにより次段の処理設備に移送する配管に加熱装置や圧力保持装置を設けて配管内の温度及び圧力を管理し、汚泥を改質するので、既設の配管を利用することもでき、熱交換器など大掛かりな設備を新たに用意する必要はなく、設備コストを低減化できる。また、上水汚泥を含む各種汚泥に適用可能で、適用範囲が拡大する。
【発明を実施するための最良の形態】
【００１７】
以下、本発明による汚泥処理方法及び汚泥処理装置の一実施の形態について図面を用いて詳細に説明する。
【００１８】
この実施形態では、処理対象の汚泥として、浄水場の水処理により発生する上水汚泥を例にして説明する。
【００１９】
ここで、浄水場の水処理により発生する上水汚泥は、加熱することにより改質され、自然沈降性能および濾過性が向上するという性質を有する。この実施の形態では、汚泥を加熱するに当り、この汚泥が浄水場における上水汚泥であるため、浄水場の広い敷地内に設けられている長い移送配管を直接加熱することにより、特に熱交換器を設けることなく、簡易的に加熱できるようにした。
【００２０】
また、汚泥を加熱する際には、目的の温度の飽和圧力以上に圧力を上げ、この圧力を保たなければならない。そこで、上水汚泥を移送する配管内を所定の圧力まで昇圧・保圧しする。ただし、次段の処理設備では大気圧下で処理を行うため、次段へ達する前に大気圧に戻さなければならない。
【００２１】
図１はこのような条件を満足する汚泥処理装置全体のシステム構成を示している。図１において、１は濃縮槽で、河川などから引き込んだ水を溜め、添加剤を加えることにより、引き込んだ水に含まれる固体の不純物を沈殿（不純物＋添加剤：上水汚泥）させる。２はバッファタンクで、濃縮槽１から次段の処理設備である沈降槽９への移送用配管３の途中に介在して設けられており、その内部は大気圧に開放している。すなわち、移送途中の上水汚泥を大気圧下で一次貯留する。
【００２２】
移送用の配管３は、濃縮槽１とバッファタンク２とをつなぐ配管部分３Ａと、バッファタンク２以降の沈降層９までの配管部分３Ｂとからなる。配管部分３Ａには、汚泥を送り出すポンプ４と、配管部分３Ａを加熱するための加熱装置５と、圧力保持装置として機能するオリフィス８が設けられている。
【００２３】
加熱装置５は配管部分３Ａを介して、その内部を流れる上水汚泥を加熱し、沈降性能やろ過性能が向上するように改質させる。この加熱装置５の熱源としては、何でもよいが、例えば、浄水場内の発電設備に用いられているガスタービン６で使用した後の蒸気を、蒸気配管７によって取り入れ、熱源として用いる。
【００２４】
オリフィス８は、設置点の上流側と下流側とに差圧を生じさせる流体抵抗装置であり、配管部分３Ａの内径より狭く構成し、ポンプ４の吐出圧を利用して加熱装置５で加熱される配管部分３Ａ内の圧力を制御する。
【００２５】
沈降槽９は、上水汚泥を自然沈降によりさらに濃縮するもので、バッファタンク２とは移送用の配管部分３Ｂでつながれている。この配管部分３Ｂにはバッファタンク２内の汚泥を送り出すポンプ１１が設けられている。１２は脱水器で、沈降槽９と移送用の配管１３でつながれており、沈降槽９で濃縮された上水汚泥を脱水濾過して脱水ケーキ２５を生成する。なお、配管１３には沈降槽９内の上水汚泥を送り出すポンプ１４が設けられている。
【００２６】
上記構成において、河川・池沼およびダムなどから引き込まれた水は、その中に含まれている固体の不純物が濃縮槽１で沈降分離される。この時、沈降分離がより早く行われるように、添加剤など（アルミニウム系または活性炭系が一般的）が使用される。沈降分離によって沈殿したものが上水汚泥である。なお、上澄み水は図示しない浄水工程に送られる。
【００２７】
上水汚泥は、ポンプ４により配管部分３Ａを通ってバッファタンク２に移送される。この配管部分３Ａの途中で、汚泥は加熱装置５により所定の改質温度に加熱される。すなわち、汚泥の沈降性能やろ過性能が向上する改質に必要な温度まで加熱される。所定の改質温度は、上水汚泥の質（浄水場）によって異なる。上水汚泥によっては７０℃程度で改質することもあり、ここでは、７０℃以上とする。
【００２８】
また、配管部分３Ａの途中（終端近く）に、配管部分３Ａの内径より狭い部分（オリフィス８）を設けてあり、このオリフィス８による差圧により、オリフィス８の上流側の圧力を所定の圧力に制御する（昇圧）。オリフィス８の差圧により昇圧した圧力は、配管３の内径とオリフィス８の内径との比、上水汚泥の流量、ポンプ４の吐出圧力が変化しない限り、この圧力を保つ（保圧）。
【００２９】
所定の圧力は、上水汚泥が所定の温度まで上昇することを可能にするためでもある。上水汚泥を加熱する温度が上水汚泥の質（浄水場）によって異なるため、所定の改質温度の飽和圧力以上とし、ここでは、ゲージ圧で０MPa以上１MPa未満とする。
【００３０】
この時に、オリフィス８として使用するものは、配管部分３Ａの内径より狭ければなんでもよい。昇圧のための差圧は、配管３内径とオリフィス８内径の比と、上水汚泥の流量と、ポンプに吐出圧力で決まるため、計算により最適なオリフィス径を求め、固定の部品として設置することが出来る。また、バルブをオリフィス８として、手動または自動で圧力を制御することも出来る。
【００３１】
オリフィス８および加熱装置５により所定の圧力および温度に加熱され、改質された上水汚泥は、オリフィス８の下流側で空冷により冷却され、かつ、ほぼ大気圧に減圧され、大気開放のバッファタンク２に溜められる。一般に、高圧下で高温に加熱された汚泥を冷却し、かつ大気圧にもどす場合、この冷却が不十分なうちに大気圧となると、沸騰による圧力上昇が生じる。しかし、バッファタンク２を設けたことにより、この沸騰による配管内圧力上昇を防止できる。
【００３２】
バッファタンク２に溜められた上水汚泥は、ポンプ１１を用い配管部分３Ｂを通って沈降槽９に送られる。この時、定常的に運転する場合は、ポンプ４により配管部分３Ａで送る流量と、ポンプ１１を用いて配管部分３Ｂで送る流量を同流量とする。それにより、バッファタンク２のオーバーフローや、バッファタンク２が空になったために生じるポンプ１１の空回りなどが防止できる。
【００３３】
改質により自然沈降性能が向上した上水汚泥は、沈降槽９において、従来より速くより高濃度に沈降濃縮されるため、上水汚泥の容積が減少する。そのため、ポンプ１４を使用して、移送用の配管１３によって脱水器１２へ送られる上水汚泥の量が減少することになり、脱水器１２の台数を削減できる。また、ろ過性能も向上するため、加圧濾過方式の脱水器にかかる負荷が軽減され、脱水器の寿命が延びる。
【００３４】
次に、図２で示す実施の形態を説明する。上水汚泥を改質する温度が低く、空冷部分で１００℃以下に冷却できる場合には、図１で示したバッファタンク２を使用しなくても、安全に運転することが出来る。この場合の構成を図２により説明する。
【００３５】
この実施の形態においても、河川などから引き込んだ水を溜め、添加剤を加えることにより、上水汚泥をより早く沈殿させるための濃縮槽１と、濃縮槽１から送られた上水汚泥を自然沈降によりさらに濃縮するための沈降槽９とを設ける。この濃縮槽１と沈降槽９との間は、図２で示したバッファタンク２を設けることなく、移送用の配管３で直接的につないでいる。配管３には汚泥を送り出すポンプ４と、移送配管３を加熱するための加熱装置５と、この加熱装置５で加熱される移送配管３内の圧力を制御するためのオリフィス８が設けられている。加熱装置５の熱源には、ガスタービン６で使用した後の蒸気を、蒸気配管７で取り入れればよい。沈降槽９以降の構成は図１と同じであり、ポンプ１４の吐出圧を利用して上水汚泥を脱水濾過するための脱水器１２と、沈降槽９と脱水器１２をつなぐ移送用の配管１３と、配管１３を利用して上水汚泥を送り出すポンプ１４から構成される。
【００３６】
上記構成において、河川・池沼およびダムなどから引き込まれた水は、濃縮槽１において、添加剤の使用によりその中に含まれている固体の不純物が沈降分離される。沈降分離された上水汚泥は、ポンプ４を用いて配管３を通り、沈降槽９に移送される。この移送途中において、汚泥は加熱装置５により所定の改質温度に加熱され、改質される。配管３の途中に、配管３の内径より狭い部分（オリフィス８）を設けてあり、このオリフィス８による差圧により、オリフィス８の上流側の圧力を所定の圧力に制御する（昇圧）。所定の圧力は、上水汚泥を加熱する温度が上水汚泥の質（浄水場）によって異なるため飽和圧力以上とし、ここではゲージ圧で０MPa以上１MPa未満とする。
【００３７】
オリフィス８および加熱装置５により所定の圧力および温度で、改質された上水汚泥は、オリフィス８の下流側でほぼ大気圧となり、加熱装置５より下流側の配管３を流れながら空冷され、１００℃以下で沈降槽９に送られる。
【００３８】
改質により自然沈降性能が向上した上水汚泥は、沈降槽９において、従来より速く、より高濃度に沈降濃縮され、汚泥量が減少する。その後、ポンプ１４により配管１３を通って脱水器１２へ送られ、脱水処理され、脱水ケーキ２５が生成される。このとき、上水汚泥の量が減少することにより、脱水器１２の台数を削減できる。また、ろ過性能も向上するため、加圧濾過方式の脱水器にかかる負荷が軽減され、脱水器の寿命が延びる。
【００３９】
このように汚泥の質により、移送途中で改質される温度が低い場合は、大気圧にもどしても沸騰しないため、図１で示したバッファタンク２を設けなくとも移送用配管３の後半部分で圧力上昇が生じることはなく、次段の処理設備である沈降槽９に達するまでに充分冷却され、かつ圧力も大気圧に戻ることができる。
【００４０】
上記各実施の形態では、圧力保持装置として１個のオリフィス８を用いているが、図３で示すように、オリフィス８を設置するスペースが十分確保できる場合は、複数のオリフィス８を直列につないで、昇圧してもよい。図３の例では、１つのオリフィス８で得られる差圧を０．１MPaとし、目標とする所定の圧力をゲージ圧で０．５MPa以下としている。また、それぞれのオリフィス８をバイパスするための配管１５と、バイパスする位置を決めるためのバイパス用バルブ１６を設けている。
【００４１】
この場合、上流側より汚泥を流すと、加熱装置５が設けられている配管３の内圧は、上流側から数えて１番目のオリフィス８により０．１MPaまで昇圧し、汚泥は1番目と2番目のオリフィス８の間に流れ込む。１番目と２番目のオリフィス８の間が汚泥でいっぱいになると、2番目のオリフィス８から得られる差圧により、加熱装置５が設けられている配管３の内圧は０．２MPaとなり、1番目と2番目のオリフィス８の間は０．１MPaとなる。以降、オリフィス8を通るたびに、加熱装置５が設けられている配管３の内圧は０．１MPaづつ昇圧する。
【００４２】
目標とする所定の圧力が、例えば、０．２MPaである場合は、２番目と３番目のオリフィス８の間のバイパス用バルブ１６を開ける。所定の圧力が０．２MPa以上の場合は、目標とする所定の圧力によりバイパス用バルブ１６を開ける位置を決定する。
【００４３】
この時、オリフィス８として使用するものは、配管３内径より狭ければなんでもよい。昇圧のための差圧は、配管３内径とオリフィス８内径の比と、上水汚泥の流量と、ポンプに吐出圧力で決まるため、計算により最適なオリフィス径を求め、固定の部品として設置することが出来る。また、バルブをオリフィス８として、手動または自動で圧力を制御することも出来る。
【００４４】
前述したように、オリフィス8により得られる差圧は、配管３内径とオリフィス８内径の比と、上水汚泥の流量と、ポンプ４の吐出圧力で決まり、配管３内径とオリフィス８内径の比が小さければ小さいほど差圧も小さくなる。つまり、1つのオリフィス８で得る差圧を小さくすれば、オリフィス８の内径を大きく出来ることとなり、安全な運転を確保できる。すなわち、オリフィス8内を流れるのは汚泥であり、固形物を含んでいるし水に比べて粘度も高い。そのため、あまりに狭いオリフィス8では閉塞する危険が有るためである。
【００４５】
このように、目標とする差圧より小さな差圧に設定したオリフィス８を複数個直列に配置して目標とする差圧を得るように構成すると安全な運転が確保できる。
【００４６】
次に、圧力保持装置の別の構成を図４により説明する。
【００４７】
配管３に設けた加熱装置５の下流側に、圧力保持装置として、ばね１７を有する栓１８を設置している。この栓１８は、設置点上流側の圧力上昇により開動作して下流側との間を連通させる。ばね１７は、この栓１８を閉塞方向に付勢するもので、栓１８とともに保圧弁を構成している。また、ばね１７はねじ１９に取り付けられており、このねじ１９により、ばね１７による栓１８を閉鎖する方向の付勢力を可変に構成して、栓１８が開放する圧力を調整可能とする。
【００４８】
すなわち、栓１８が所定の圧力で押し上げられる程度にネジ１９でばね１７を締める。配管３内の圧力が低いときは、配管３を流れてきた汚泥は、閉塞状態の栓１８のために流れることが出来ないので、配管３内の圧力は上昇する。所定の圧力まで配管３内の圧力が上がると、汚泥はばね１７に逆らって栓１８を押し上げる。栓１８が押し上げられ、汚泥が流れ出すと配管３内の圧力が下がり、ばね１７が栓１８を配管３に押し付け、配管３を閉塞する。この繰り返しにより、加熱装置５が加熱する配管３内の圧力を所定の圧力に自動的に調整する。
【００４９】
この場合、ばね１７にかける圧力を大きくすれば、１個の圧力保持装置として使用でき、また、ばね１７にかける圧力を小さくすることにより、複数直列につないで使用することもできる。
【００５０】
前述した各圧力保持装置は、オリフィス８や栓１８などによる流体抵抗装置を用いたが、配管３内の圧力が低い場合には、これらに依らず、水頭圧を用いて圧力の制御を行ってもよい。すなわち、圧力保持装置として、目標とする保持圧力に相当する水頭圧を生じさせる配管構成を用いてもよい。この場合の構成を、図５を参照して説明する。
【００５１】
図５において、配管３に設けられた加熱装置５の下流側に、垂直に立てられ最上部が大気開放である加圧用配管２０を連結する。この加圧用配管２０に、制御する圧力に応じて等間隔に複数配置された圧力制御用バルブ２１を設ける。さらに、各圧力制御用バルブ２１内を流れた汚泥を配管３に戻すための戻りライン２２を設けるとともに、昇圧しない時に使用するバイパス用バルブ２３を設ける。
【００５２】
図５の例では、目標とする所定の圧力がゲージ圧で０．２MPa以下であり、圧力の制御を０．０２MPa間隔で行う場合である。
【００５３】
この場合、目標とする所定の圧力に適した圧力制御用バルブ２１のみを開け、汚泥を流す。圧力制御用バルブ２１の選定方法は、水頭圧が０．０１MPa／mのであることを利用して決定する。加熱装置５によって加熱される配管３内の圧力は、加圧用配管２０の最低部と同様であるから、圧力制御用バルブ２１の選定により所定の圧力に制御される。
【００５４】
このこのように構成すると、オリフィス8を使用した場合に比べ、狭い部分がないため、目詰まりし難い。
【００５５】
なお、前述した各実施の形態では、処理対象汚泥として上水汚泥を例示しているが、上水汚泥以外の他の各種汚泥にも適用することができる。
【図面の簡単な説明】
【００５６】
【図１】本発明による汚泥処理装置の一実施の形態を示すシステム構成図である。
【図２】本発明による汚泥処理装置の他の実施の形態を示すシステム構成図である。
【図３】本発明に用いる圧力保持装置として複数のオリフィスを直列配置した構成例を示す図である。
【図４】本発明に用いる圧力保持装置としてばね圧により開閉する栓体を用いた構成例を示す図である。
【図５】本発明に用いる圧力保持装置として水頭圧を生じる配管構成を示す図である。
【符号の説明】
【００５７】
１    濃縮槽
２    バッファタンク
３    汚泥移送用の配管
４    ポンプ
５    加熱装置
８    圧力保持装置として使用されるオリフィス
９    次段の処理装置の例である沈降槽
１７    ばね
１８    栓
２０，２１，２２    水頭圧を生じさせる配管構成
【図１】
2005288310.tif 000003
【図２】
2005288310.tif 000004
【図３】
2005288310.tif 000005
【図４】
2005288310.tif 000006
【図５】
2005288310.tif 000007